(57)【要約】本発明は、以下を含む防しわ布帛処理組成物に関する：  ａ）次式を有するカチオン性シリコーンポリマーまたはカチオン性シリコーンコポリマーを約０．０１重量％〜約２０重量％：    【化１】2005520058.tif 000109  式中、各Ｚは、少なくとも１つの二級、三級、若しくは四級アミノ部分、またはこれらの混合物を含み；［ＣＡＰ］は、主鎖停止または末端単位であり；ｍは１〜５０である；  ｂ）アニオン性単位を含む化合物を捕捉するのに有効な捕捉剤を約１重量％〜約３０重量％；及び  ｃ）残部が担体系。  更に、本発明は、以下を含む布帛リンス添加剤組成物に関する：  ａ）次式を有するカチオン性シリコーンポリマーまたはカチオン性シリコーンコポリマーを約０．０１重量％〜約２０重量％：    【化２】2005520058.tif 000110  式中、各Ｚは、少なくとも１つの二級、三級、若しくは四級アミノ部分、またはこれらの混合物を含み；［ＣＡＰ］は、主鎖停止または末端単位であり；ｍは１〜５０である；  ｂ）乳化剤、香料、染料、防腐剤、またはこれらの混合物からなる群より選択される微量成分を約１重量％〜約３０重量％；及び、  ｃ）残部が担体系。
2005520058.tif 000002
【特許請求の範囲】
【請求項１】
リンス剤添加布帛性能向上組成物であり、以下を含む：
ａ）次式を有するカチオン性シリコーンポリマーまたはカチオン性シリコーンコポリマーを約０．０１重量％〜約２０重量：
【化１】
2005520058.tif 000076
式中、各Ｚ単位は、独立に次式を有し：
【化２】
2005520058.tif 000077
ｘは０または１であり；
Ｗは、次式を有するシロキサン単位であり：
【化３】
2005520058.tif 000078
各Ｒ１単位は、Ｃ１〜Ｃ２２直鎖または分岐鎖、置換または非置換のヒドロカルビル部分であり、好ましくはＲ１は以下からなる群より選択され：
ｉ）Ｃ１〜Ｃ２２直鎖または分岐鎖アルキル；
ｉｉ）Ｃ１〜Ｃ２２シクロアルキル；
ｉｉｉ）Ｃ６〜Ｃ２２アリール；
ｉｖ）Ｃ７〜Ｃ２２アルキレンアリール；
ｖ）Ｃ１〜Ｃ２２直鎖または分岐鎖フルオロアルキル；
ｖｉ）Ｃ２〜Ｃ２２直鎖または分岐鎖アルケニル；
ｖｉｉ）Ｃ１〜Ｃ２２直鎖または分岐鎖アルコキシ；及び、
ｖｉｉｉ）これらの混合物、更に好ましくはＲ１はメチルであり；
ｎは、１〜５００の指数であり；
Ｒは、次式を有する窒素原子含有の主鎖単位であり：
【化４】
2005520058.tif 000079
Ｂは、少なくとも１つの二級、三級、若しくは四級アミノ部分、またはこれらの混合物を含む単位であり；
Ｒ２は、次式を有する結合単位であり：
【化５】
2005520058.tif 000080
Ｒ３は、Ｃ２〜Ｃ１２直鎖または分岐鎖アルキレンであり、好ましくはＲ３は、エチレン、１，３−プロピレン、１，２−プロピレン、及びこれらの混合物であり；
Ｒ４は、水素、またはＣ１〜Ｃ２２直鎖若しくは分岐鎖、置換若しくは非置換のヒドロカルビル部分であり、好ましくはＲ４は、水素、Ｃ１〜Ｃ２２直鎖または分岐鎖アルキル；Ｃ１〜Ｃ２２シクロアルキル；Ｃ１〜Ｃ２２直鎖または分岐鎖フルオロアルキル；Ｃ２〜Ｃ２２直鎖または分岐鎖アルケニル；Ｃ６〜Ｃ２２アリール；Ｃ７〜Ｃ２２アルキレンアリール；及びこれらの混合物からなる群より選択され、最も好ましくはＲ４は、水素、Ｃ１〜Ｃ１０直鎖または分岐鎖アルキル；及びこれらの混合物であり；
ｚは、０〜５０であり；
Ｌは、連結単位であり、好ましくはＬは以下からなる群より選択され：
ｉ）−［Ｃ（Ｒ７）２］ｐ−；式中、ｐは１〜２２である；
ｉｉ）−［Ｃ（Ｒ７）２］ｐ（ＣＨ＝ＣＨ）ｑ−；式中、ｐは０〜１２；ｑは１〜６である；
ｉｉｉ）−Ｃ（Ｘ）−；
ｉｖ）−ＯＣ（Ｘ）−；
ｖ）−Ｃ（Ｘ）Ｏ−；
ｖｉ）−［Ｃ（Ｒ７）２］ｑＣ（Ｘ）Ｘ（Ｒ８Ｏ）ｐ−；ｐは０〜１２；ｑは１〜６である；
ｖｉｉ）−（ＯＲ８）ｐＸＣ（Ｘ）［Ｃ（Ｒ７）２］ｑ−；ｐは０〜１２；ｑは１〜６である；
ｖｉｉｉ）−Ｃ（Ｘ）ＮＲ７−；
ｉｘ）−Ｃ（Ｘ）Ｒ８Ｃ（Ｘ）−；
ｘ）−Ｃ（Ｘ）ＮＲ７Ｃ（Ｘ）−；
ｘｉ）−Ｃ（Ｘ）ＮＲ７Ｒ８ＮＲ７Ｃ（Ｘ）−；
ｖｉｉｉ）−ＮＲ７Ｃ（Ｘ）−；
ｘｉｉｉ）−ＮＲ７Ｃ（Ｘ）ＮＲ７−；
ｘｉｖ）−ＮＲ７Ｃ（Ｘ）Ｒ８ＮＲ７−；
ｘｖ）−ＮＲ７Ｒ８Ｃ（Ｘ）ＮＲ７−；
ｘｖｉ）−ＮＲ７Ｃ（Ｘ）Ｒ８Ｃ（Ｘ）Ｏ−；
ｘｖｉｉ）−ＯＣ（Ｘ）Ｒ８Ｃ（Ｘ）ＮＲ７−；
ｘｖｉｉｉ）−ＮＲ７Ｃ（Ｘ）Ｒ８Ｃ（Ｘ）Ｏ−；
ｘｉｘ）−ＮＲ７Ｃ（Ｘ）ＮＲ７Ｒ８−；
ｘｘ）−Ｒ８ＮＲ７Ｃ（Ｘ）ＮＲ７−；
ｘｘｉ）−ＮＲ７Ｃ（Ｘ）ＮＲ７Ｒ８−；
ｘｉ）−Ｒ８ＮＲ７Ｃ（Ｘ）ＮＲ７Ｒ８−；
ｘｘｉｉｉ）−ＮＲ７−；
ｘｘｉｖ）−Ｒ８ＮＲ７−；
ｘｘｖ）−ＮＲ７Ｒ８−；
ｘｘｖｉ）−ＮＲ７Ｎ＝Ｎ−；
ｘｘｖｉｉ）−ＮＲ７ＮＲ７−；
ｘｘｖｉｉｉ）−ＯＲ８−；
ｘｘｉｘ）−Ｒ８Ｏ−；
ｘｘｘ）−（Ｒ８）ｕＣ（Ｘ）（Ｒ８）ｕ−；
ｘｘｘｉ）−（Ｒ８）ｕＯＣ（Ｏ）（Ｒ８）ｕ−；
ｘｘｘｉｉ）−（Ｒ８）ｕＣ（Ｏ）Ｏ（Ｒ８）ｕ−；
ｘｘｘｉｉｉ）−（Ｒ８）ｕＯＣ（Ｏ）Ｏ（Ｒ８）ｕ−；
式中、Ｒ７は、水素、Ｃ１〜Ｃ２２直鎖または分岐鎖アルキル；Ｃ１〜Ｃ２２シクロアルキル；Ｃ１〜Ｃ２２直鎖または分岐鎖フルオロアルキル；Ｃ２〜Ｃ２２直鎖または分岐鎖アルケニル；Ｃ６〜Ｃ２２アリール；Ｃ７〜Ｃ２２アルキレンアリール；及びこれらの混合物であり；Ｘは、酸素、イオウ、＝ＮＲ７、及びこれらの混合物であり；ｕは、０または１であり；最も好ましくは、Ｌは次式を有する：
−［ＣＨ２］ｐＣ（Ｏ）Ｏ（ＣＨ２ＣＨ２Ｏ）ｐ−、または、−（ＯＣＨ２ＣＨ２）ｐＯＣ（Ｏ）［ＣＨ２］ｐ−
式中、ｐは１〜１２であり、好ましくはｐは３である。
［ＣＡＰ］は、主鎖停止単位、または末端単位であり；ｍは、１〜５０であり、好ましくは［ＣＡＰ］は以下からなる群より選択され：
ｉ）
【化６】
2005520058.tif 000081
ｉｉ）
【化７】
2005520058.tif 000082
ｉｉｉ）
【化８】
2005520058.tif 000083
ｉｖ）
【化９】
2005520058.tif 000084
【化１０】
2005520058.tif 000085
ｖ）
【化１１】
2005520058.tif 000086
及び、
ｖｉ）これらの混合物；
式中、Ｒ１は、上記に定義されるのと同じであり、各Ｒ９は、独立にＣ１〜Ｃ１２直鎖または分岐鎖アルキレン、Ｃ６〜Ｃ１２アリーレン、Ｃ７〜Ｃ２２アルキレンアリーレンであり；Ｒ１０は、水素、またはＣ１〜Ｃ２２直鎖または分岐鎖、置換または非置換のヒドロカルビル部分であり；同じ窒素原子からの２つのＲ１０単位、それぞれが隣接する窒素原子からの２つのＲ１０単位、或いは１つのＲ１０単位は、Ｒ５単位、またはＲ１単位と一緒に合わせて、芳香族または非芳香族、四級化または非四級化複素環単位、及びこれらの混合物を形成することができ；Ａは、水溶性アニオンであり；ｊは、０〜６であり、ｋは０〜１であり、最も好ましくは［ＣＡＰ］−は、次式を有する：
【化１２】
2005520058.tif 000087
ｂ）アニオン性単位を含む化合物を捕捉するのに有効な捕捉剤を約１重量％〜約３０重量％；及び、
ｃ）残部が担体系。
【請求項２】
Ｂが以下からなる群より選択される、請求項１に記載の組成物。
ｉ）
【化１３】
2005520058.tif 000088
ｉｉ）
【化１４】
2005520058.tif 000089
及び、
ｉｉｉ）これらの混合物
式中、各Ｒ５は、独立した以下のものである：
ｉ）Ｃ２〜Ｃ１２直鎖または分岐鎖アルキレン；
ｉｉ）Ｃ６〜Ｃ１２アリーレン；
ｉｉｉ）Ｃ７〜Ｃ２２アルキレンアリーレン；
ｉｖ）次式を有するアルキレンオキシ単位：
−（Ｒ１１Ｏ）ａ（Ｒ１１Ｏ）ｂ（Ｒ１１Ｏ）ｃ（Ｒ１１）−
式中、Ｒ１１は、Ｃ２〜Ｃ１２アルキレン単位であり、指数ａ、ｂ、及びｃは、０〜１００である；
ｖ）次式を有し、二塩基酸、グリシジルエーテル、またはこれらの混合物から誘導される連結単位：
−［Ｃ（Ｏ）］ｄ（Ｒ１１Ｏ）ａ（Ｒ１２）ｅ［Ｃ（Ｏ）］ｄ−
式中、Ｒ１２は、Ｃ１〜Ｃ２０直鎖または分岐鎖アルキレン；−ＣＨ２ＣＨＯＨＣＨ２−、及びこれらの混合物であり、ａは０〜１００であり、ｄは０または１であり、ｅは０〜２０であり；各Ｒ６は、独立した以下のものである：
ｉ）水素；
ｉｉ）Ｃ１〜Ｃ２２直鎖または分岐鎖、置換または非置換のヒドロカルビル部分；
ｉｉｉ）同じ窒素原子からの２つのＲ６単位を一緒に合わせて、芳香族または非芳香族、四級化または非四級化複素環単位を形成することができる；
ｉｖ）隣接する窒素原子からの各２つのＲ６単位を一緒に合わせて、芳香族または非芳香族、四級化または非四級化複素環単位を形成することができる；
ｖ）１つのＲ６単位をＲ５単位と一緒に合わせて、芳香族または非芳香族、四級化または非四級化複素環単位を形成することができる；
ｖｉ）及び、これらの混合物；
Ａは、水溶性アニオンであり；ｊは０〜６であり、ｋは０〜１である。
【請求項３】
Ｂが以下からなる群より選択される、請求項１に記載の組成物：
ｉ）
【化１５】
2005520058.tif 000090
ｉｉ）
【化１６】
2005520058.tif 000091
ｉｉｉ）
【化１７】
2005520058.tif 000092
ｉｖ）
【化１８】
2005520058.tif 000093
ｖ）
【化１９】
2005520058.tif 000094
ｖｉ）
【化２０】
2005520058.tif 000095
ｖｉｉ）及び、これらの混合物。
【請求項４】
前記組成物が、更に、布帛柔軟化活性物質を約１重量％〜約８０重量％含む請求項１〜３のいずれか１項に記載の組成物であって、前記布帛柔軟剤活性物質が、次式を有する四級アンモニウム化合物：
【化２１】
2005520058.tif 000096
次式を有するアミン：
【化２２】
2005520058.tif 000097
及び、これらの混合物を含み；式中、各Ｒは、独立にＣ１〜Ｃ６アルキル、Ｃ１〜Ｃ６ヒドロキシアルキル、ベンジル、及びこれらの混合物であり；Ｒ１は、Ｃ１〜Ｃ２２アルキル、Ｃ３〜Ｃ２２アルケニル、及びこれらの混合物であり；Ｑは、次式を有するカルボニル部分であり：
【化２３】
2005520058.tif 000098
式中、Ｒ２は、水素、Ｃ１〜Ｃ４アルキル、Ｃ１〜Ｃ４ヒドロキシアルキル、及びこれらの混合物であり；Ｒ３は、水素、Ｃ１〜Ｃ４アルキル、及びこれらの混合物であり；Ｘは、柔軟剤と適合性のあるアニオンであり；ｍは、１〜３であり；ｎは、１〜４であり；好ましくは、前記布帛柔軟化活性物質は、タロウ、ハードタロウ、ラード、カノーラ油、部分水素化カノーラ油、ベニバナ油、部分水素化ベニバナ油、ピーナッツ油、部分水素化ピーナッツ油、ひまわり油、部分水素化ひまわり油、コーン油、部分水素化コーン油、大豆油、部分水素化大豆油、トール油、部分水素化トール油、米糠油、部分水素化米糠油、合成トリグリセリド供給原料、及びこれらの混合物からなる群より選択されるトリグリセリドの供給源から誘導されるアシル部分を含む。
【請求項５】
洗濯サイクル中に、布帛柔軟化効果及び防しわ効果を布帛に提供する方法であって、次の段階を含む：
ａ）すすぎサイクル中に、有効量のアニオン捕捉剤を含む組成物、好ましくは前記組成物が布帛柔軟剤組成物である、と布帛を接触させる段階；及び
ｂ）次式を有するカチオン性シリコーンポリマーまたはカチオン性シリコーンコポリマーを約０．０１重量％〜約２０重量％含む組成物と布帛を接触させる段階であり：
【化２４】
2005520058.tif 000099
式中、各Ｚ単位は、独立に次式を有し：
【化２５】
2005520058.tif 000100
ｘは０または１であり；
Ｗは、次式を有するシロキサン単位であり：
【化２６】
2005520058.tif 000101
各Ｒ１単位は、Ｃ１〜Ｃ２２直鎖または分岐鎖、置換または非置換のヒドロカルビル部分であり；ｎは１〜５００の指数であり；
Ｒは、次式を有する窒素原子含有の主鎖単位であり：
【化２７】
2005520058.tif 000102
Ｂは、少なくとも１つの二級、三級、若しくは四級アミノ部分、またはこれらの混合物を含む単位であり；Ｒ２は、次式を有する結合単位であり：
【化２８】
2005520058.tif 000103
Ｒ３は、Ｃ２〜Ｃ１２直鎖または分岐鎖アルキレンであり；Ｒ４は、水素、またはＣ１〜Ｃ２２直鎖または分岐鎖、置換または非置換のヒドロカルビル部分であり；ｚは、０〜５０であり；
Ｌは、連結単位であり；［ＣＡＰ］は、主鎖停止単位であり；ｍは、１〜５０であり、
好ましくは、カチオン性シリコーンポリマーまたはカチオン性シリコーンコポリマーを約０．０１重量％〜約２０重量％含む前記組成物が、布帛リンス添加剤である。
【請求項６】
少なくとも２つの連続した洗濯サイクルで、布帛を布帛リンス添加剤と接触させる段階を更に含む、請求項５に記載の方法。
【請求項７】
段階ａ）が段階ｂ）に先行する、請求項５または６のいずれかに記載の方法。
【請求項８】
布帛リンス添加剤組成物であり、以下を含む：
ａ）次式を有するカチオン性シリコーンポリマーまたはカチオン性シリコーンコポリマーを約０．０１重量％〜約２０重量％：
【化２９】
2005520058.tif 000104
式中、各Ｚ単位は、独立に次式を有する：
【化３０】
2005520058.tif 000105
ｘは０または１であり；
Ｗは、次式を有するシロキサン単位であり：
【化３１】
2005520058.tif 000106
各Ｒ１単位は、Ｃ１〜Ｃ２２直鎖または分岐鎖、置換または非置換のヒドロカルビル部分であり；ｎは１〜５００の指数であり；
Ｒは、次式を有する窒素原子含有の主鎖単位であり：
【化３２】
2005520058.tif 000107
Ｂは、少なくとも１つの二級、三級、若しくは四級アミノ部分、またはこれらの混合物を含む単位であり；Ｒ２は、次式を有する結合単位であり：
【化３３】
2005520058.tif 000108
Ｒ３は、Ｃ２〜Ｃ１２直鎖または分岐鎖アルキレンであり；Ｒ４は、水素、またはＣ１〜Ｃ２２直鎖若しくは分岐鎖、置換若しくは非置換のヒドロカルビル部分であり；ｚは、０〜５０であり；
Ｌは、連結単位であり；［ＣＡＰ］は、主鎖停止単位であり；ｍは、１〜５０である；及び
ｂ）担体系。
【請求項９】
布帛に防しわ効果を提供するための、請求項８に記載の布帛リンス添加剤組成物の使用法。
【請求項１０】
布帛に改善された防しわ効果を提供するための、少なくとも２つの連続した洗濯サイクルにおける、請求項８または９のいずれかに記載の布帛リンス添加剤組成物の使用法。
【発明の詳細な説明】
【技術分野】
【０００１】
（関連出願との相互参照）
本出願は、米国特許法第１１９条（ｅ）のもとに、２００２年１月３０日に出願された米国特許仮出願シリアル番号６０／３５２，８４０、及び２００１年１月２７日に出願された米国特許仮出願シリアル番号６０／３０８，２０４の優先権を主張する。
【０００２】
（発明の分野）
本発明は、布帛の防しわ特性を向上させる布帛ケア系に関する。本発明の系はまた、カチオン性シリコーンを含む組成物を包含する。本発明は、更に、防しわ効果を布帛に提供する方法に関する。
【背景技術】
【０００３】
布帛、特にセルロースをベースにする布帛、とりわけ、木綿は、洗濯プロセス後の乾燥時、または着用時のいずれかでしわになる傾向がある。パリッとして、滑らかな衣類を提供するため、パーマネントプレス仕上げが使用されてきたが、パーマネントプレスプロセスは、セルロース繊維を架橋するか、または可撓性の小さいコーティング材料を塗布するかのいずれかによって布帛自体を改質しなければならない。塗布用コーティングまたは架橋によって繊維細胞の隙間が充填されると、通気性、特に木綿の通気性が損なわれる。
【０００４】
天然繊維、とりわけ、木綿では、ほとんどのコーティングは所望のレベルの防しわ特性を得るために布帛繊維自体と化学的に反応しなければならない。この種の処理は、ポリエステル布帛の合成中にも同様に起こり得る。付着を制御するためには布帛表面に対する親和性が存在しなければならず、基材の衣類表面に存在する能力が、滑らかな布帛表面を達成し維持する鍵となる。
【発明の開示】
【発明が解決しようとする課題】
【０００５】
従って、布帛の種類に関係なく布帛に防しわ効果を提供し、基材自体に化学的結合を必要としない布帛処理系が当該技術分野において、長い間に亘り痛切に必要とされてきている。
【課題を解決するための手段】
【０００６】
前述の要求は驚くべき発見によって満たされてきている。その発見とは、活性物質の布帛への付着に影響を与え得るアニオン電荷を有する化合物を捕捉できる物質と特定のカチオン性シリコーン化合物が組合せて使用される場合、これらは共に防しわ効果を布帛に提供する。本発明の効果は液体布帛コンディショニング組成物の手段により付与できる。本発明のカチオン性シリコーンは、布帛の特性を向上させるために使用される系の一部となし得る。
【０００７】
本発明の第一の態様は布帛性能向上組成物に関し、以下を含む：
ａ）次式を有するカチオン性シリコーンポリマーまたはカチオン性シリコーンコポリマーを約０．０１重量％〜約２０重量：
【化１】
2005520058.tif 000003
式中、各Ｚ単位は、独立に次式を有し：
【化２】
2005520058.tif 000004
ｘは０または１であり；
Ｗは、次式を有するシロキサン単位であり：
【化３】
2005520058.tif 000005
各Ｒ１単位は、Ｃ１〜Ｃ２２直鎖または分岐鎖、置換または非置換のヒドロカルビル部分であり；ｎは１〜５００の指数であり；
Ｒは、次式を有する窒素原子含有の主鎖単位であり：
【化４】
2005520058.tif 000006
Ｂは、少なくとも１つの二級、三級、若しくは四級アミノ部分、またはこれらの混合物を含む単位であり；
Ｒ２は、次式を有する結合単位であり：
【化５】
2005520058.tif 000007
Ｒ３は、Ｃ２〜Ｃ１２直鎖または分岐鎖アルキレンであり；Ｒ４は、水素、またはＣ１〜Ｃ２２直鎖または分岐鎖、置換または非置換のヒドロカルビル部分であり；ｙは、０または１であり；ｚは、０〜５０であり；
Ｌは、連結単位であり；［ＣＡＰ］は、主鎖停止単位または末端単位であり；ｍは、１〜５０である；
ｂ）アニオン単位を含む化合物を捕捉するのに有効な捕捉剤を約１重量％〜約３０重量％；及び、
ｃ）残部が担体系。
【０００８】
本発明は、更に、布帛性能向上及び防しわ効果を布帛に提供する方法に関し、前記方法は、布帛を本明細書に記載のリンス剤添加組成物と接触させる段階を含む。
【０００９】
本発明の追加の態様は、前述のカチオン性シリコーンポリマー及び／またはカチオン性シリコーンコポリマーを含む布帛リンス添加剤組成物に関する。本発明は、更に、布帛性能向上及び防しわ効果を布帛に提供する方法に関し、前記方法は、布帛を本明細書に記載の布帛リンス添加剤組成物と接触させる段階を含む。本発明は、更にまた、布帛柔軟化組成物と共に本明細書に記載の布帛リンス添加剤組成物を使用し、改善された布帛柔軟化効果、及び防しわ効果を提供する方法に関する。
【００１０】
既述の、並びにその他の目的、特徴、及び利点については、以下の詳細な記述及び付属する請求項を読むことにより当事者には明白になると考えられる。本明細書におけるすべてのパーセンテージ、比率、及び割合は特に指定のない限り重量による。温度は全て、特に指定しない限り、摂氏（℃）で表す。関連部分において記載するすべての文献は、参照文献として本明細書中に組み込む。
【発明を実施するための最良の形態】
【００１１】
本発明は、リンス剤添加布帛性能向上組成物に関するもので、１つの主要な効果は布帛の防しわである。この防しわ効果は、布帛が洗濯サイクルから取り出される時に存在するだけでなく、布帛が着用される間も維持され、次の洗濯サイクル時での処理において更新することができる。本発明は、衣類、とりわけ、ズボン、ブラウスなどとして使用される製造物品に防しわ効果を提供するために使用される場合、特に有用である。
【００１２】
この効果は、布帛の種類とは意外にも独立している。パーマネントプレス処理とは異なり、効果を提供する化合物が布帛繊維自体と反応しないため、この効果は、広範囲の布帛の種類に有効である。本発明を構成する成分は、一定範囲の布帛の種類（疎水性繊維から親水性繊維）において、驚くほどの布帛残存性があり（fabric substantive）、他の望ましい布帛特性を損なうことなく前記布帛の特性を改質することができる。
【００１３】
（定義）
本発明の目的に関して、本明細書における用語「ヒドロカルビル」は、「直鎖、分枝鎖、環状、非環状のいずれかであり、本明細書の下記に定義される好適な「置換」単位で水素原子がいくつ置換されているかに関係なく、炭素及び水素原子を含む任意の単位」として定義される。「ヒドロカルビル」単位の非限定例には、メチル、ベンジル、６−ヒドロキシオクタニル、ｍ−クロロフェニル、２−（Ｎ−メチルアミノ）プロピルなどが挙げられる。
【００１４】
「置換」という用語は、本明細書全体を通して使用され、本発明の目的に関して「置換」という用語は、「１つの炭素原子から１つの水素原子、２つの水素原子、または３つの水素原子を置き換えてある部分を形成すること、または、隣接する炭素原子から水素原子を置き換えてある部分を形成すること」と定義される。例えば、単一の水素原子の置き換えに必要な置換単位には、ハロゲン及びヒドロキシルなどが挙げられる。２つの水素原子の置き換えには、カルボニル及びオキシイミノなどが挙げられる。３つの水素原子の置き換えには、シアノなどが挙げられる。置換という用語は、本明細書全体を通して使用され、ある部分、とりわけ芳香族環、アルキル鎖が、１つ以上の水素原子を置換基により置き換えられ得ることを示す。例えば４−ヒドロキシフェニルは「置換芳香族炭素環」であり、３−グアニジノプロピルは「置換Ｃ３アルキル単位」である。
【００１５】
以下は、炭素に結合している水素原子を置き換えて、「置換ヒドロカルビル」単位を形成することができる部分の非限定例である：
ｉ）−ＮＨＣＯＲ３０；
ｉｉ）−ＣＯＲ３０；
ｉｉｉ）−ＣＯＯＲ３０；
ｉｖ）−ＣＯＣＨ＝ＣＨ２；
ｖ）−Ｃ（＝ＮＨ）ＮＨ２；
ｖｉ）−Ｎ（Ｒ３０）２；
ｖｉｉ）−ＮＨＣ６Ｈ５；
ｖｉｉｉ）＝ＣＨＣ６Ｈ５；
ｉｘ）−ＣＯＮ（Ｒ３０）２；
ｘ）−ＣＯＮＨＮＨ２；
ｘｉ）−ＮＨＣＮ；
ｘｉｉ）−ＯＣＮ；
ｘｉｉｉ）−ＣＮ；
ｘｉｖ）Ｆ、Ｃｌ、Ｂｒ、Ｉ、及びこれらの混合物；
ｘｖ）＝Ｏ；
ｘｖｉ）−ＯＲ３０；
ｘｖｉｉ）−ＮＨＣＨＯ；
ｘｖｉｉｉ）−ＯＨ；
ｘｉｘ）−ＮＨＮ（Ｒ３０）２；
ｘｘ）＝ＮＲ３０；
ｘｘｉ）＝ＮＯＲ３０；
ｘｘｉｉ）−ＮＨＯＲ３０；
ｘｘｉｉｉ）−ＣＮＯ；
ｘｘｉｖ）−ＮＣＳ；
ｘｘｖ）＝Ｃ（Ｒ３０）２；
ｘｘｖｉ）−ＳＯ３Ｍ；
ｘｘｖｉｉ）−ＯＳＯ３Ｍ；
ｘｘｖｉｉｉ）−ＳＣＮ；
ｘｘｉｘ）−Ｐ（Ｏ）Ｈ２；
ｘｘｘ）−ＰＯ２；
ｘｘｘｉ）−Ｐ（Ｏ）（ＯＨ）２；
ｘｘｘｉｉ）−ＳＯ２ＮＨ２；
ｘｘｘｉｉｉ）−ＳＯ２Ｒ３０；
ｘｘｘｉｖ）−ＮＯ２；
ｘｘｘｖ）−ＣＦ３、−ＣＣｌ３、−ＣＢｒ３；
ｘｘｘｖｉ）及びこれらの混合物であり；
式中、Ｒ３０は水素、Ｃ１〜Ｃ２０直鎖または分枝鎖アルキル、Ｃ６〜Ｃ２０アリール、Ｃ７〜Ｃ２０アルキレンアリール、及びこれらの混合物であり；Ｍは、水素、または塩形成カチオンである。好適な塩形成カチオンには、ナトリウム、リチウム、カリウム、カルシウム、マグネシウム、アンモニウムなどが挙げられる。アルキレンアリール単位の非限定例には、ベンジル、２−フェニルエチル、３−フェニルプロピル、２−フェニルプロピルが挙げられる。
【００１６】
（カチオン性シリコーンポリマー及びカチオン性シリコーンコポリマー）
本発明の組成物は１種以上のカチオン性シリコーンポリマーまたはカチオン性シリコーンコポリマーを含む。これらの化合物は、次式を有し、
【化６】
2005520058.tif 000008
式中、各単位Ｚは、シリコーンを含む単位である。各Ｚ単位は、分子中に存在する他のＺ単位と同じであっても、異なっていてもよいが、本発明の一態様は、全てのＺ単位が均一な組成を有する実施形態に関する。しかし、本発明のこの態様では、特に結果として得られる化合物がポリマーの場合には、主にＺ単位の鎖長の変化のため、Ｚ単位の厳密な構造に変化が存在するであろう。本発明の他の態様は、以下で論じられるように、１種類より多くのまたは１分類より多くのＺ単位が存在するコポリマーを含む。
【００１７】
Ｚ単位は次式を有し：
【化７】
2005520058.tif 000009
式中、指数ｘは０または１であり；Ｗは、次式を有するシロキサン単位であり：
【化８】
2005520058.tif 000010
式中、各Ｒ１単位は、Ｃ１〜Ｃ２２直鎖または分岐鎖、置換または非置換のヒドロカルビル部分であり；ｎは１〜５００の指数である。本発明の一実施形態では、Ｒ１は、以下からなる群より選択される単位である：
ｉ）Ｃ１〜Ｃ２２直鎖または分岐鎖アルキル；
ｉｉ）Ｃ３〜Ｃ２２シクロアルキル；
ｉｉｉ）Ｃ６〜Ｃ２２アリール；
ｉｖ）Ｃ７〜Ｃ２２アルキレンアリール；
ｖ）Ｃ１〜Ｃ２２直鎖または分岐鎖フルオロアルキル；
ｖｉ）Ｃ２〜Ｃ２２直鎖または分岐鎖アルケニル；
ｖｉｉ）Ｃ１〜Ｃ２２直鎖または分岐鎖アルコキシ；及び
ｖｉｉｉ）これらの混合物。
【００１８】
本発明の別の態様は、Ｒ１単位を提供するが、これらは全て同一であり、例えば、各Ｒ１単位はメチルである。各Ｒ１単位がメチルであるシロキサン単位は、次の一般式を有し：
【化９】
2005520058.tif 000011
式中、指数ｎは、配合者の選択に応じて変わる。本発明の一実施形態では、Ｚ単位に単一のシロキサン単位が使用され、式中、ｎは１である。
【００１９】
Ｒは、次式を有する窒素原子含有の主鎖単位であり：
【化１０】
2005520058.tif 000012
式中、Ｂは、少なくとも１つのアミノ単位を含む主鎖単位であり、前記アミノ単位は、二級アミノ単位、三級アミノ単位、四級アミノ単位、及び次式を有するこれらの混合物からなる群より選択される：
ｉ）
【化１１】
2005520058.tif 000013
ｉｉ）
【化１２】
2005520058.tif 000014
及び
ｉｉｉ）これらの混合物
式中、各Ｒ５は、独立に、以下のものである：
ｉ）Ｃ１〜Ｃ１２直鎖または分岐鎖アルキレン；
ｉｉ）Ｃ６〜Ｃ１２アリーレン；
ｉｉｉ）Ｃ７〜Ｃ２２アルキレンアリーレン；
ｉｖ）次式を有するアルキレンオキシ単位：
−（Ｒ１１Ｏ）ａ（Ｒ１１Ｏ）ｂ（Ｒ１１Ｏ）ｃ（Ｒ１１）−
式中、Ｒ１１は、Ｃ２〜Ｃ１２アルキレン単位であり、指数ａ、ｂ、及びｃは、０〜１００である；
ｖ）二塩基酸、グリシジルエーテル、または次式を有するこれらの混合物から誘導される連結単位：
−［Ｃ（Ｏ）］ｄ（Ｒ１１Ｏ）ａ（Ｒ１２）ｅ［Ｃ（Ｏ）］ｄ−
式中、Ｒ１２は、Ｃ１〜Ｃ２０直鎖または分岐鎖アルキレン；−ＣＨ２ＣＨＯＨＣＨ２−、及びこれらの混合物であり、ａは、０〜１００であり、ｄは、０または１であり、ｅは、０〜２０である；
各Ｒ６は、独立に、以下のものである：
ｉ）水素；
ｉｉ）Ｃ１〜Ｃ２２の直鎖または分岐鎖、置換または非置換のヒドロカルビル部分；
ｉｉｉ）同じ窒素原子からの２つのＲ６単位を一緒に合わせて、芳香族または非芳香族、四級化または非四級化の複素環単位を形成することができる；
ｉｖ）それぞれ隣接する窒素原子に結合している２つのＲ６単位を一緒に合わせて、芳香族または非芳香族、四級化または非四級化複素環単位を形成することができる；
ｖ）１つのＲ６単位をＲ５単位と一緒に合わせて、芳香族または非芳香族、四級化または非四級化複素環単位を形成することができる；
ｖｉ）及びこれらの混合物；
Ａは、水溶性アニオンであり；ｊは、０〜６であり、ｋは０〜１である。
【００２０】
Ｂ単位の非限定例は、以下を挙げることができる：
ｉ）
【化１３】
2005520058.tif 000015
ｉｉ）
【化１４】
2005520058.tif 000016
ｉｉｉ）
【化１５】
2005520058.tif 000017
ｉｖ）
【化１６】
2005520058.tif 000018
ｖ）
【化１７】
2005520058.tif 000019
ｖｉ）
【化１８】
2005520058.tif 000020
ｖｉｉ）
【化１９】
2005520058.tif 000021
ｖｉｉｉ）及びこれらの混合物。
【００２１】
他の実施形態には、アミノ酸から誘導されるアミノ主鎖単位、例えば、一部が次式を有する部分を含むＷ単位が含まれる：
【化２０】
2005520058.tif 000022
Ｒ２は、次式を有する結合単位であり：
【化２１】
2005520058.tif 000023
Ｒ３は、Ｃ２〜Ｃ１２直鎖または分岐鎖アルキレンであり；Ｒ４は、水素、またはＣ１〜Ｃ２２直鎖または分岐鎖、置換または非置換のヒドロカルビル部分である。本発明の一実施形態では、Ｒ３はｎ−プロピレンであり、Ｒ４は、それぞれ水素原子である。指数ｚは０または１の値を有する。Ｒ２単位は、典型的には、一般式：
【化２２】
2005520058.tif 000024
を有するエポキシ単位と、エポキシ環を開環できる単位との反応により形成することができる。
【００２２】
本発明の一実施形態は、次式を有するＲ２単位を利用する：
【化２３】
2005520058.tif 000025
Ｌは、アミノ含有主鎖単位Ｂと、主鎖を構成する他の単位との間に連結を提供することができる連結単位である。連結単位は、非常に反応性のあるまたは不安定な組合せを除く、任意の好適な原子の組合せとすることができ、その非限定例には、Ｏ−Ｏ結合、及びＮ−Ｏ結合などが挙げられる。
【００２３】
好適な連結単位の非限定例には、以下からなる群より選択される単位が挙げられる：
ｉ）−［Ｃ（Ｒ７）２］ｐ−；式中、ｐは１〜２２である；
ｉｉ）−［Ｃ（Ｒ７）２］ｐ（ＣＨ＝ＣＨ）ｑ−；式中、ｐは０〜１２；ｑは１〜６である；
ｉｉｉ）−Ｃ（Ｘ）−；
ｉｖ）−ＯＣ（Ｘ）−；
ｖ）−Ｃ（Ｘ）Ｏ−；
ｖｉ）−［Ｃ（Ｒ７）２］ｑＣ（Ｘ）Ｘ（Ｒ８Ｏ）ｐ−；式中、ｐは０〜１２；ｑは１〜６である；
ｖｉｉ）−（ＯＲ８）ｐＸＣ（Ｘ）［Ｃ（Ｒ７）２］ｑ−；式中、ｐは０〜１２；ｑは１〜６である；
ｖｉｉｉ）−Ｃ（Ｘ）ＮＲ７−；
ｉｘ）−Ｃ（Ｘ）Ｒ８Ｃ（Ｘ）−；
ｘ）−Ｃ（Ｘ）ＮＲ７Ｃ（Ｘ）−；
ｘｉ）−Ｃ（Ｘ）ＮＲ７Ｒ８ＮＲ７Ｃ（Ｘ）−；
ｖｉｉｉ）−ＮＲ７Ｃ（Ｘ）−；
ｘｉｉｉ）−ＮＲ７Ｃ（Ｘ）ＮＲ７−；
ｘｉｖ）−ＮＲ７Ｃ（Ｘ）Ｒ８ＮＲ７−；
ｘｖ）−ＮＲ７Ｒ８Ｃ（Ｘ）ＮＲ７−；
ｘｖｉ）−ＮＲ７Ｃ（Ｘ）Ｒ８Ｃ（Ｘ）Ｏ−；
ｘｖｉｉ）−ＯＣ（Ｘ）Ｒ８Ｃ（Ｘ）ＮＲ７−；
ｘｖｉｉｉ）−ＮＲ７Ｃ（Ｘ）Ｒ８Ｃ（Ｘ）Ｏ−；
ｘｉｘ）−ＮＲ７Ｃ（Ｘ）ＮＲ７Ｒ８−；
ｘｘ）−Ｒ８ＮＲ７Ｃ（Ｘ）ＮＲ７−；
ｘｘｉ）−ＮＲ７Ｃ（Ｘ）ＮＲ７Ｒ８−；
ｘｉ）−Ｒ８ＮＲ７Ｃ（Ｘ）ＮＲ７Ｒ８−；
ｘｘｉｉｉ）−ＮＲ７−；
ｘｘｉｖ）−Ｒ８ＮＲ７−；
ｘｘｖ）−ＮＲ７Ｒ８−；
ｘｘｖｉ）−ＮＲ７Ｎ＝Ｎ−；
ｘｘｖｉｉ）−ＮＲ７ＮＲ７−；
ｘｘｖｉｉｉ）−ＯＲ８−；
ｘｘｉｘ）−Ｒ８Ｏ−；
ｘｘｘ）−（Ｒ８）ｕＣ（Ｘ）（Ｒ８）ｕ−；
ｘｘｘｉ）−（Ｒ８）ｕＯＣ（Ｏ）（Ｒ８）ｕ−；
ｘｘｘｉｉ）−（Ｒ８）ｕＣ（Ｏ）Ｏ（Ｒ８）ｕ−；
ｘｘｘｉｉｉ）−（Ｒ８）ｕＯＣ（Ｏ）Ｏ（Ｒ８）ｕ−；
式中、Ｒ７は、水素、Ｃ１〜Ｃ２２直鎖または分岐鎖アルキル；Ｃ１〜Ｃ２２シクロアルキル；Ｃ１〜Ｃ２２直鎖または分岐鎖フルオロアルキル；Ｃ２〜Ｃ２２直鎖または分岐鎖アルケニル；Ｃ６〜Ｃ２２アリール；Ｃ７〜Ｃ２２アルキレンアリール；及びこれらの混合物であり；Ｒ８は、Ｃ２〜Ｃ２０直鎖または分岐鎖、置換または非置換のアルキレン；Ｃ７〜Ｃ２０アルキレンアリーレン；Ｃ６〜Ｃ２０置換または非置換のアリーレンであり；Ｘは、酸素、イオウ、＝ＮＲ７、及びこれらの混合物であり；ｕは、０または１である。
【００２４】
指数ｙは、０または１である。
【００２５】
本発明の一態様は、α−ハロカルボン酸エステル、典型的には、α−クロロ酢酸ポリオキシエチレンエステルが連結単位として使用される実施形態に関し、前記単位は次式を有する：
−［ＣＨ２］ｑＣ（Ｏ）Ｏ（ＣＨ２ＣＨ２Ｏ）ｐ−、または、−（ＯＣＨ２ＣＨ２）ｐＯＣ（Ｏ）［ＣＨ２］ｑ−
式中、ｐは１〜１２であり、ここに含まれる特定の実施形態では、ｑは１であり、ｐはそれぞれ３、６及び８である。
【００２６】
［ＣＡＰ］−単位は、ポリマー、コポリマー、またはオリゴマー鎖を終了させる、停止させる、または末端を形成する単位である。「末端を形成する」という用語は、配合者が特定のエンドキャッピング単位［ＣＡＰ］を提供する場合があること、または反応性物質の欠如（化学量論の制御）から、または急冷することによって鎖を停止させる場合があることを意味する。更に、配合者は、鎖の伸長段階が加溶媒分解によって、または不純物との反応によって末端が形成されることもあると認識するであろう。例えば、配合者は、本発明のポリマーが次式を有する反応によって単位を付加し続けることを要求する場合がある：
【化２４】
2005520058.tif 000026
しかし、求核中心を有する不純物が反応して、尚早に鎖の末端を形成する場合があり、その非限定例を次式で表す：
【化２５】
2005520058.tif 000027
配合者は、特定のキャッピング単位を提供することもできる。本発明の一実施形態は、以下からなる群より選択される［ＣＡＰ］単位を提供する：
ｉ）
【化２６】
2005520058.tif 000028
ｉｉ）
【化２７】
2005520058.tif 000029
ｉｉｉ）
【化２８】
2005520058.tif 000030
ｉｖ）
【化２９】
2005520058.tif 000031
【化３０】
2005520058.tif 000032
ｖ）
【化３１】
2005520058.tif 000033
及び
ｖｉ）これらの混合物；
式中、Ｒ１は、上記の定義と同じであり、各Ｒ９は、独立にＣ１〜Ｃ１２直鎖または分岐鎖アルキレン、Ｃ６〜Ｃ１２アリーレン、Ｃ７〜Ｃ２２アルキレンアリーレンであり；Ｒ１０は、水素、またはＣ１〜Ｃ２２直鎖若しくは分岐鎖、置換若しくは非置換のヒドロカルビル部分であり；同じ窒素原子からの２つのＲ１０単位、それぞれが隣接する窒素原子からの２つのＲ１０単位、または１つのＲ１０単位は、Ｒ５単位またはＲ１単位と一緒に合わせて、芳香族または非芳香族、四級化または非四級化の複素環単位、及びこれらの混合物を形成することができる；Ａは、水溶性アニオンであり；ｊは、０〜６であり、ｋは０〜１である。
【００２７】
本発明の別の態様は、キャッピング単位としてＷ単位を提供するもので、例えば、次式を有するポリマーである：
【化３２】
2005520058.tif 000034
この非限定例は、次式を有するポリマーである：
【化３３】
2005520058.tif 000035
キャッピング単位の非限定例には、次のものが挙げられる：
【化３４】
2005520058.tif 000036
本発明の主鎖は、四級アンモニウム単位を含むこともでき、従って配合者は、対イオン、Ａを提供する。これらの対イオンは、任意の好適な水溶性アニオンとすることができる。本発明のポリマー物質を配合するため、酸を使用して、１つ以上の主鎖二級アミノ単位をプロトン化することが必要な場合がある。二級アミノ単位（プロトン化された主鎖窒素）は、それらの対イオンに、任意の数の好適な有機酸、またはこれらの組合せを有することもできる。非限定例には、酢酸、三塩基クエン酸、一塩基クエン酸、５０／５０の酢酸／ラウリン酸などが挙げられる。
【００２８】
本発明の一態様は、２つの異なる窒素含有Ｂ単位を有するカチオン性シリコーンコポリマーに関し、例えば、次式を有するオリゴマーが挙げられる：
【化３５】
2005520058.tif 000037
【化３６】
2005520058.tif 000038
次の表は、本発明のこの態様の実施形態の非限定例を表し、ここで、ｍ１＝ｍ、及びｍ２＝１である。
【表１】
2005520058.tif 000039
表１の前述の例では、二級アミノ単位（プロトン化された主鎖窒素）は、それらの対イオンに、任意の数の好適な有機酸、またはこれらの組合せを有する。非限定例には、酢酸、三塩基クエン酸、一塩基クエン酸、５０／５０の酢酸／ラウリン酸などが挙げられる。
【００２９】
本発明の更なる他の態様は、次式を有する実施形態に関する：
【化３７】
2005520058.tif 000040
式中、Ｂは以下から成る群より選択され：
ｉ）
【化３８】
2005520058.tif 000041
ｉｉ）
【化３９】
2005520058.tif 000042
ｉｉｉ）
【化４０】
2005520058.tif 000043
ｉｖ）
【化４１】
2005520058.tif 000044
式中、ｎの平均値は３５〜５０であり、２つの実施形態では、ｎはそれぞれ、４５と４６であるが、他の実施形態では、ｎの値は１００〜１１０であり、１つの特定の実施形態では、ｎは１０７であり、指数ａ、ｂ及びｃは、（ａ＋ｃ）が０〜２０となり、ｂが１〜２００となるような値である。
【００３０】
本発明の別の態様は、以下の段階を含むプロセスで形成されるカチオン性ポリマーを含む組成物に関する：
Ａ）次式：
【化４２】
2005520058.tif 000045
式中、各Ｒ５は、独立にＣ２〜Ｃ１２直鎖または分岐鎖アルキレン、Ｃ６〜Ｃ１２アリーレン、Ｃ７〜Ｃ２２アルキレンアリーレン、アルキレンオキシ単位−（Ｒ１１Ｏ）ａ（Ｒ１１Ｏ）ｂ（Ｒ１１Ｏ）ｃ（Ｒ１１）−（式中、Ｒ１１は、Ｃ２〜Ｃ１２アルキレン単位であり、指数ａ、ｂ及びｃは０〜１００である）；Ｒ６は、水素、またはＣ１〜Ｃ２２直鎖または分岐鎖、置換または非置換のヒドロカルビル部分であり；同じ窒素原子からの２つのＲ６単位、それぞれが隣接する窒素原子からの２つのＲ６単位、または１つのＲ６単位をＲ５単位と合わせて、１つの芳香族または非芳香族、四級化または非四級化の複素環単位、及びこれらの混合物を形成することができる、ジアミン１当量を、次式：
【化４３】
2005520058.tif 000046
式中、Ｌは連結単位であり；Ｗは次式を有するシロキサン単位であり：
【化４４】
2005520058.tif 000047
各Ｒ１単位は、Ｃ１〜Ｃ２２直鎖または分岐鎖、置換または非置換のヒドロカルビル部分であり；ｎは１〜５００の指数であり；Ｒ３は、Ｃ２〜Ｃ１２直鎖または分岐鎖アルキレンであり；ｙは、０または１である）を有するエポキシド１当量と反応させて、１つ以上のアミノ単位を含むカチオン性シリコーンポリマーを形成し、前記ポリマーが、次式を有する単位を含む段階：
【化４５】
2005520058.tif 000048
Ｂ）任意選択的に、前記カチオン性シリコーンポリマーを、四級化剤１当量以上と反応させることにより、前記アミノ単位を１つ以上四級化させる段階。
【００３１】
以下は本発明のカチオン性ポリマーを製造するプロセスの非限定例である。
【実施例】
【００３２】
（実施例１）
次式：
【化４６】
2005520058.tif 000049
を有するエポキシシロキサン（３３．７ｇ、０．１ｍｏｌ）とＮ−メチルピペリジンをイソプロパノール（４０ｍＬ）中で混合し、７時間還流した後、減圧下で溶媒を留去し、次式を有するアミノシロキサンをほぼ定量的な収量で得る：
【化４７】
2005520058.tif 000050
プロパルギルアルコール（４９７ｇ、８．８７モル）を室温、窒素下で攪拌しながら、１時間にわたり、α−クロロアセチルクロライド（９５５ｇ、８．４５モル）を滴下する。添加中に６０℃に昇温し、ＨＣｌガスが激しい発生を伴う。混合物は色が濃くなり、１３０℃で１時間加熱する。分別蒸留により８９１ｇの沸点１７９〜１８１℃のプロパルギルα−クロロアセテートを得る。
【００３３】
プロパルギルα−クロロアセテート（２６．５ｇ、０．２モル）及び米国特許第３，２２０，９７２号に記載の、３．４３％のプラチナを含有するラモレアックス（Lamoreaux）坦持触媒（４４ｍｇ）を窒素下、室温で混合する。３０分に亘り１，１，１，３，５，５，５−ヘプタメチルトリシロキサンを添加し、６０℃に昇温した後、最後に１００℃で４時間加熱する。
【００３４】
２ｈｐａで沸点１２０℃までの留出物を留去し、次式を有する８５％純度の黄色の液体（６４．５ｇ）を得た。
【化４８】
2005520058.tif 000051
上記で得られたピペリジンシロキサン（２１．８ｇ、０．０５モル）、及びクロロエステルシロキサン（１７．７ｇ、０．０５モル）を、窒素大気下、メチルプロピルケトン（５０ｍＬ）に懸濁し、６時間還流する。続いて、４ｈＰａで沸点１００℃までの不純物を留去し、次式を有する茶色の残留物３５．７ｇを得た。
【化４９】
2005520058.tif 000052
（実施例２）
次式を有するエポキシシロキサン（２１１．１ｇ、０．１５ｍｏｌ）：
【化５０】
2005520058.tif 000053
と、Ｎ−メチルピペラジン（１５．２ｇ、０．１５ｍｏｌ）をイソプロパノール（２２５ｍＬ）中で混合し、９０℃で４時間加熱し、α，ω−アミノシロキサンを生成する。溶媒を蒸留により除去し、２１７ｇの透明生成物を得る。
【００３５】
平均分子量３００ｇ／ｍｏｌのポリエチレングリコール（１分子当り平均６．４エチレンオキシ単位）（１５０ｇ、−ＯＨ単位の１ｍｏｌ当量）に窒素大囲気下で３０分に亘り３−クロロプロピオン酸クロライド（１５２．４ｇ、１．２ｍｏｌ）を添加する。７０℃まで昇温し、その結果、多量のＨＣｌガスが遊離する。１２０℃で反応を３０分間続け、その後、２０ｈＰａで沸点１２０℃までの不純物を留去し、次式を有する化合物を得る。
【化５１】
2005520058.tif 000054
α，ω−アミノシロキサン（１９．６１ｇ、６．５ｍモル）及びα，ω−クロロプロピオン酸グリコールエステル（３．１２ｇ、６．５ｍモル）を窒素大気下においてイソプロパノール（５０ｍＬ）中で混合し、１２時間還流する。次いで、２０ｈＰａで沸点７０℃までの不純物を留去し、次式を有する化合物２１．６ｇを得る。
【化５２】
2005520058.tif 000055
（実施例３）
次式を有するエポキシシロキサン（１８１．３ｇ、０．５ｍｏｌ）：
【化５３】
2005520058.tif 000056
をＮ−メチルピペラジン（１０１．２ｇ、１ｍｏｌ）とイソプロパノール（１００ｍＬ）中で反応させる。不純物を２０ｈＰａ、１００℃まで留去し、薄茶色の透明な残留物であるα，ω−アミノシロキサン２７６ｇを得る。α，ω−アミノシロキサン（６．２ｇ、１１ｍモル）及び実施例Ｂから得られるα，ω−アミノシロキサン（３３．２１ｇ、１１ｍモル）を実施例Ｂから得られるα，ω−クロロプロピオン酸グリコールエステル（１０．５９ｇ、２２ｍモル）と混合し、窒素大気下で、イソプロパノール（５０ｍＬ）中に懸濁し、１０時間還流する。２０ｈＰａで沸点４０℃までの溶媒及び物質を留去し、次の平均式を有する茶色のワックス状化合物４８．７ｇを得る。
【化５４】
2005520058.tif 000057
（アニオン捕捉剤）
本発明組成物の第２の要素は、アニオン種の捕捉剤の役割を果たすことができる化合物に関する。
【００３６】
本発明の一態様は、次式を有するエステル及びアミド三級アミンであるアニオン捕捉剤：
【化５５】
2005520058.tif 000058
及び、次式を有するモノ−四級アンモニウムカチオン性化合物：
【化５６】
2005520058.tif 000059
及びこれらの混合物に関し、式中、各Ｒは、独立にＣ１〜Ｃ６アルキル、Ｃ１〜Ｃ６ヒドロキシアルキル、ベンジル、及びこれらの混合物であり；Ｒ１は、好ましくは、Ｃ１１〜Ｃ２２直鎖アルキル、Ｃ１１〜Ｃ２２分岐鎖アルキル、Ｃ１１〜Ｃ２２直鎖アルケニル、Ｃ１１〜Ｃ２２分岐鎖アルケニル、及びこれらの混合物であり；Ｑは、次式を有する単位から独立に選択されるカルボニル部分であり、
【化５７】
2005520058.tif 000060
式中、Ｒ２は、水素、Ｃ１〜Ｃ４のアルキル、好ましくは水素であり；Ｒ３は、Ｃ１〜Ｃ４のアルキル、好ましくは水素またはメチルであり；好ましくは収量添加中ボールＱは次式を有し、
【化５８】
2005520058.tif 000061
Ｘは捕捉剤と適合性のあるアニオンであり、好ましくは強酸のアニオン、例えば、塩化物イオン、臭化物イオン、メチルサルフェートイオン、エチルサルフェートイオン、硫酸イオン、硝酸イオン及びそれらの混合物、更に好ましくは塩化物イオン及びメチルサルフェートイオンである。アニオンは、あまり好ましくはないが、二価の電荷を持つことも可能で、その際、Ｘは基の半分を表す。指数ｍは、１〜３の値を有し；指数ｎは１〜４、好ましくは２〜３、より好ましくは２の値を有する。
【００３７】
本発明の一実施形態は、１分子当り、指数ｎに対して２つ以上の異なる値を有するアミン及び四級化アミンを提供し、例えば、出発アミン、メチル（３−アミノプロピル）（２−ヒドロキシエチル）アミンから調製される柔軟剤活性物質を提供する。
【００３８】
本発明のこの態様の一実施形態は次式を有するアニオン捕捉剤に関する。
【化５９】
2005520058.tif 000062
式中、次式を有する単位は脂肪族アシル部分である。
【化６０】
2005520058.tif 000063
好適な脂肪族アシル部分は、タロウ、植物油及び／または部分硬化植物油、とりわけカノーラ油、ベニバナ油、ピーナッツ油、ひまわり油、コーン油、大豆油、トール油、米糠油を含むトリグリセリドの供給源から誘導される。一特定範囲の実施形態は、指数ｍが２であるエステルに関する。
【００３９】
本発明の一実施形態は、Ｃ１１〜Ｃ２２アルケニル部分を少なくとも約３％、別の実施形態では少なくとも約５％、更に別の実施形態では少なくとも約１０％有する、Ｒ１単位を含むエステルを提供する。別の実施形態は、ポリアルケニル（ポリ不飽和）単位、とりわけ、オレイン単位、リノール単位、リノレン単位を含む、Ｃ１１〜Ｃ２２アルケニル部分を少なくとも約１５％含有する。
【００４０】
以下は、本発明のモノ−アミン／モノ−四級アンモニウム態様を構成するジエステルまたはジアミドの特定の実施形態である。
【００４１】
Ｎ，Ｎ−ジ（タロイル−オキシ−エチル）−Ｎ，Ｎ−ジメチルアンモニウムクロライド；
Ｎ，Ｎ−ジ（カノリル−オキシ−エチル）−Ｎ，Ｎ−ジメチルアンモニウムクロライド；
Ｎ，Ｎ−ジ（タロイル−オキシ−エチル）−Ｎ−メチル，Ｎ−（２−ヒドロキシエチル）アンモニウムメチルサルフェート；
Ｎ，Ｎ−ジ（カノリル−オキシ−エチル）−Ｎ−メチル，Ｎ−（２−ヒドロキシエチル）アンモニウムメチルサルフェート；
Ｎ，Ｎ−ジ（タロイルアミドエチル）−Ｎ−メチル，Ｎ−（２−ヒドロキシエチル）アンモニウムメチルサルフェート；
Ｎ，Ｎ−ジ（２−タロイルオキシ−２−オキソ−エチル）−Ｎ，Ｎ−ジメチルアンモニウムクロライド；
Ｎ，Ｎ−ジ（２−カノリルオキシ−２−オキソ−エチル）−Ｎ，Ｎ−ジメチルアンモニウムクロライド；
Ｎ，Ｎ−ジ（２−タロイルオキシエチルカルボニルオキシエチル）−Ｎ，Ｎ−ジメチルアンモニウムクロライド；
Ｎ，Ｎ−ジ（２−カノリルオキシエチルカルボニルオキシエチル）−Ｎ，Ｎ−ジメチルアンモニウムクロライド；
Ｎ−（２−タロイルオキシ−２−エチル）−Ｎ−（２−タロイルオキシ−２−オキソ−エチル）−Ｎ，Ｎ−ジメチルアンモニウムクロライド；
Ｎ−（２−カノリルオキシ−２−エチル）−Ｎ−（２−カノリルオキシ−２−オキソ−エチル）−Ｎ，Ｎ−ジメチルアンモニウムクロライド；
Ｎ，Ｎ，Ｎ−トリ（タロイル−オキシ−エチル）−Ｎ−メチルアンモニウムクロライド；
Ｎ，Ｎ，Ｎ−トリ（カノリル−オキシ−エチル）−Ｎ−メチルアンモニウムクロライド；
Ｎ−（２−タロイルオキシ−２−オキソエチル）−Ｎ−（タロイル）−Ｎ，Ｎ−ジメチルアンモニウムクロライド；
Ｎ−（２−カノリルオキシ−２−オキソエチル）−Ｎ−（カノリル）−Ｎ，Ｎ−ジメチルアンモニウムクロライド；
１，２−ジタロイルオキシ−３−Ｎ，Ｎ，Ｎ−トリメチルアンモニオプロパンクロライド；及び
１，２−ジカノリルオキシ−３−Ｎ，Ｎ，Ｎ−トリメチルアンモニオプロパンクロライド；
及び前記活性物質の混合物。
【００４２】
アニオン捕捉剤として本明細書で有用な追加のアミノ／四級アンモニウム化合物は、１９９７年７月１日にメーメルステイン（Mermelstein）らに発行された米国特許第５，６４３，８６５号、１９９７年４月２２日にデ・ブザッカリニ（de Buzzaccarini）らに発行された同第５，６２２，９２５号発行、１９９６年８月１３日にベーカー（Baker）らに発行された同第５，５４５，３５０号、１９９５年１２月１２日にワール（Wahl）らに発行された同第５，４７４，６９０号、１９９４年１月２７日にターナー（Turner）らに発行された同第５，４１７，８６８号、１９８７年４月２８日にトリン（Trinh）らに発行された同第４，６６１，２６９号、１９８４年３月２７日にバーンズ（Burns）に発行された同第４，４３９，３３５号、１９８３年８月３０日にバーブルゲン（Verbruggen）に発行された同第４，４０１，５７８号、１９８１年１２月２９日にカムブレ（Cambre）に発行された同第４，３０８，１５１号、１９７８年１０月２７日にラドキン（Rudkin）らに発行された同第４，２３７，０１６号、１９８０年１１月１１日にデービス（Davis）に発行された同第４，２３３，１６４号、１９７７年８月３０日にワット（Watt）らに発行された同第４，０４５，３６１号、１９７６年８月１０日にビエルセマ（Wiersema）らに発行された同第３，９７４，０７６号、１９７５年５月６日にベルナジオ（Bernadino）に発行された同第３，８８６，０７５号、１９７５年１月２１日にエドワーズ（Edwards）らに発行された同第３，８６１，８７０号、及びヤマムラ（Yamamura）らによるＥＰ−Ａ−４７２，１７８に記載されており、前記文書はすべて参照文献として本明細書に組み込む。
【００４３】
本発明の別の態様は、好適な水溶性対イオン、Ａを有する、次式の四級アンモニウム化合物であるアニオン捕捉剤に関し、
【化６１】
2005520058.tif 000064
式中、各Ｒ１は、独立にＣ１〜Ｃ２２直鎖または分岐鎖アルキル、Ｃ２〜Ｃ２２直鎖または分岐鎖アルケニル、及びこれらの混合物である。一実施形態では、２つのＲ１単位は、Ｃ１〜Ｃ４直鎖アルキルであり、その一例には、ジメチルジタロウアンモニウムクロライド（ＤＴＤＭＡＣ）があり、ここで「タロウ」の用語は、前記アルキル単位の供給源を指す。
【００４４】
本発明の別の態様は、ジアミノ化合物の混和物であるアニオン捕捉剤に関し、これは次の段階を含むプロセスから得られる：
ｉ）次式：
【化６２】
2005520058.tif 000065
式中、Ｒは、Ｃ２〜Ｃ１２アルキレンであり；各Ｒ１は、独立に水素、Ｃ１〜Ｃ６アルキル、次式、
【化６３】
2005520058.tif 000066
（式中、Ｒ２は、Ｃ２〜Ｃ６直鎖または分岐鎖アルキレン、Ｃ２〜Ｃ６直鎖または分岐鎖ヒドロキシ置換アルキレン、Ｃ２〜Ｃ６直鎖または分岐鎖アミノ置換アルキレン、及びこれらの混合物であり；Ｚは、水素、−ＯＲ５、−Ｎ（Ｒ５）２、及びこれらの混合物であり；式中Ｒ５は、水素、Ｃ１〜Ｃ６アルキル、及びこれらの混合物である単位を有する）を有するジアミン１当量を、アクリル化単位約０．１当量〜約８当量と反応させ、アクリル化ジアミノ混和物を形成する段階；及び
ｉｉ）前記アクリル化ジアミノ混和物を四級化剤０．１当量〜２当量と反応させ、前記アニオン捕捉剤系を形成する段階。
【００４５】
アニオン捕捉剤のこの態様に関する化合物は、参照文献として本明細書に包含される、２００１年４月３日にシビク（Sivik）らへ発行された米国特許第６，２１１，１４０号に開示されている。
【００４６】
本発明の別の態様は、ポリアミンであるアニオン捕捉剤に関し、該ポリアミンは以下から選択される：
ｉ）次式を有する直鎖ポリアミン：
【化６４】
2005520058.tif 000067
式中、Ｒは、エチレン、１，２−プロピレン、１，３−プロピレン、及びこれらの混合物であり；Ｒ１は、水素、Ｃ１〜Ｃ２アルキル、次式：
【化６５】
2005520058.tif 000068
（式中、Ｒ３は、エチレン、１，２−プロピレン、１，２−ブチレン、またはこれらの混合物であり、Ｒ４は、水素、Ｃ１〜Ｃ４アルキル、またはこれらの混合物である）を有するアルキレンオキシ、及びこれらの混合物であり；Ｒ２は、水素、Ｒ１、−ＲＮ（Ｒ１）２、及びこれらの混合物であり；ｎは、１または２である
ｉｉ）次式を有する環状ポリアミン：
【化６６】
2005520058.tif 000069
式中、Ｌは連結単位であり、前記連結単位は、少なくとも２つの窒素原子を有する環を含み；Ｒは、水素、−（ＣＨ２）ｋＮ（Ｒ１）２、及びこれらの混合物であり、式中、Ｒ１は、水素、Ｃ１〜Ｃ２アルキル、次式：
【化６７】
2005520058.tif 000070
（式中、各Ｒ３は、独立に、エチレン、１，２−プロピレン、１，２−ブチレン、またはこれらの混合物であり、Ｒ４は、水素、Ｃ１〜Ｃ４アルキル、またはこれらの混合物である）を有するアルキレンオキシ、及びこれらの混合物であり；各指数ｋは、独立に２〜４の値を有する
ｉｉｉ）及びこれらの混合物。
【００４７】
これらのポリアミンの詳細な説明は、参照文献として本明細書に包含される、１９９９年９月９日に提出された米国特許出願シリアル番号０９／７８６，９３８に対応する、ＰＣＴ国際公開特許ＷＯ００／１５７４６に記載されている。
【００４８】
本発明で使用するのに好適な更なる他のアニオン捕捉剤は、次式を有するコリンエステルである。
【化６８】
2005520058.tif 000071
式中、Ｃ８〜Ｃ２２直鎖または分岐鎖、飽和または不飽和のヒドロカルビル単位であり、各Ｒ１単位は、独立にＣ１〜Ｃ２２直鎖または分岐鎖ヒドロカルビル、及びこれらの混合物である。一実施形態では、各Ｒ１は、メチルである。Ｒ単位は、本発明の一態様では、コリンエステルを形成するのに使用される脂肪酸の供給源、例えば、ソフト型タロウ、ハード型タロウ、及びカノーラなどによって定義される。アニオンＡは、任意の好適なアニオン単位である。
【００４９】
更に別の態様は、次式を有するポリビニルアミンに関する。
【化６９】
2005520058.tif 000072
式中、指数ｙは、ポリビニルアミンの平均分子量が約５００ｇ／ｍｏｌ〜約５０００ｇ／ｍｏｌとなるような値を有する。
【００５０】
前記のアニオン捕捉剤のうち任意のものを、任意の比で、または相対量で組合せて捕捉系を形成することができる。
【００５１】
（配合）
本発明は、以下を含むリンス剤添加布帛性能向上組成物に関する：
ａ）本明細書に記載のカチオン性シリコーンポリマーまたはカチオン性シリコーンコポリマーを約０．０１重量％〜約２０重量％；
ｂ）アニオン性単位を含む化合物を捕捉するのに有効な捕捉剤を約１重量％〜約３０重量％；及び、
ｃ）残部が担体系。
【００５２】
本発明の他の実施形態は、前記カチオン性ポリマーを０．１重量％〜約５重量％含むが、更に別の態様は、前記ポリマーを１重量％〜約１０重量％含む組成物に関する。配合者は、本明細書にて考慮される範囲内で任意の量のカチオン性ポリマーまたはカチオン性コポリマーを使用することができ、その量を選択されるカチオン捕捉剤の種類と比較して調節する。
【００５３】
アニオン捕捉剤は、任意の有効な量で存在することも可能で、本発明の一態様は、前記捕捉剤を約１重量％〜約３０重量％含む組成物に関する。本発明の別の態様は、アニオン捕捉剤が約２重量％〜約１０重量％の量で存在する組成物に関する。好適な担体は、２０００年７月４日にベーカー（Baker）らへ発行された米国特許第６，０８３，８９９号；２００１年４月３日にシビク（Sivik）らへ発行された米国特許第６，２１１，１４０号に記載されており、これらは共に参照文献として本明細書に包含する。
【００５４】
本発明の別の実施形態は、本明細書に記載のカチオン性シリコーンポリマー及び／カチオン性シリコーンコポリマーを約０．０１重量％〜約２０重量％；任意選択的に、乳化剤、香料、染料、防腐剤及び他の微量成分などといった微量成分を約１重量％〜約３０重量％；及び残部が担体系であるものを含む、布帛リンス添加剤に関する。
【００５５】
本発明のプロセス態様は、本明細書に記載のカチオン性シリコーンポリマー及び／またはコポリマーを布帛柔軟化組成物に配合することを必要とせず、布帛柔軟化効果をしわ低減、しわ防止、アイロン掛けの容易さなどの防しわ効果と組合せて提供する方法に関する。この方法は、布帛を、布帛リンス添加剤組成物及び別途の布帛柔軟化組成物の両方と接触させる段階を含む。好ましくは、布帛は、改善された防しわ効果を達成するように、少なくとも２つの連続した洗濯サイクルで布帛リンス添加剤と接触させることが好ましい。
【００５６】
別途の布帛柔軟化組成物の特定の性質は、布帛リンス添加剤組成物が存在しない場合、布帛柔軟化組成物が布帛に布帛柔軟化効果を付与するのに有効であれば重要ではない。布帛柔軟化組成物は、２００１年１１月２９日に公開されたＰＣＴ国際公開特許ＷＯ０１／９０２８５に記載されているもののような、任意の従来の布帛柔軟化活性物質を含むこともでき、この特許は参照文献として本明細書に組み込む。
【００５７】
布帛リンス添加剤組成物を分配する前に、分配と同時に、または分配後に布帛柔軟化組成物を分配することができる。例えば、後に、すすぎ槽溶液に分配するために布帛柔軟化組成物と布帛リンス添加剤組成物を組合せる若しくは混合することができるか、または布帛柔軟化組成物と布帛リンス添加剤組成物を別々に分配することができる。組成物の分配は、すすぎ槽に直接添加することにより、分配用取出し器（dispensingdrawer）若しくは攪拌分配器などの１つ以上の分配機械で、または布帛と一緒に洗濯機に入れられてから洗濯機を作動させ、その中身を放出するダウニー（DOWNY）（登録商標）ボール（Ball）などの１つ以上の分配器で達成することができる。組成物の分配は、また、手すすぎ用の水槽に直接添加して達成することもできる。すすぎ水中のシリコーン含有リンス添加剤と接触させる前に、布帛をリンス剤中の別途の布帛柔軟化組成物と接触させることが好ましい。
【００５８】
更に他の実施形態では、本発明は、布帛柔軟化組成物と共に布帛リンス添加剤組成物を使用し、布帛に布帛柔軟化効果、及び防しわ効果を付与する方法に関する。布帛リンス添加剤組成物は、本明細書に記載されるカチオン性シリコーンポリマー及び／またはカチオン性シリコーンコポリマー、または１９８９年１月２４日にコフィンダファー（Coffindaffer）らへ発行された米国特許第４，８００，０２６号、及び１９８１年６月９日にアルキンソン（Alkinson）らへ発行されたカナダ特許第１，１０２，５１１号に記載のものなどのアミン官能性シロキサンを含むことができ、これらの特許は、参照文献として本明細書に組み込む。他の好適なシロキサンには、ポリジメチルシロキサン、アルキル変性シロキサン、ビニル変性シロキサン、ポリアルキレンオキシド変性シロキサン、アミド官能性シロキサン、及びこれらの混合物がある。布帛リンス添加剤が、本明細書に記載のカチオン性シリコーンポリマー及び／カチオン性シリコーンコポリマーを含むことが好ましい。更に、布帛リンス添加剤組成物は、改善された防しわ効果を達成するように、少なくとも２つの連続した洗濯サイクルで使用されることが好ましい。
【００５９】
以下は、本発明による組成物の非限定例である。
【表２】
2005520058.tif 000073
１．ウィトコ（Witco）から入手可能な、Ｎ，Ｎ−ジ（カノイルオキシエチル）−Ｎ−２−ヒドロキシエチル−Ｎ−メチルアンモニウムメチルサルフェート。
【００６０】
２．Ｎ，Ｎ−ジ（カノリル−オキシ−エチル）−Ｎ，Ｎ−ジメチルアンモニウムクロライド。
【００６１】
３．ジタロウジメチルアンモニウムクロライド。
【００６２】
４．エタノールは、四級布帛柔軟剤活性物質の製造プロセスから存在する。
【００６３】
５．ヘキシレングリコールは、四級布帛柔軟剤活性物質の製造プロセスから存在する。
【００６４】
６．添加されるヘキシレングリコール。
【００６５】
７．２，２，４−トリメチル−１，３−ペンタンジオール。
【００６６】
８．シクロヘキサン、１，４−ジメタノール。
【００６７】
９．ネオドール（Neodol）（登録商標）９１−８としてシェル（Shell）から入手可能なＣ９〜Ｃ１１アルキルＥ８アルコール。
【００６８】
１０．ツビンガル（Tubingal）３４７４、ＣＨＴバイトリッヒ（Beitlich）製のアルキル化カチオン性シリコーン。
【００６９】
１１．表Ｉ、７番に記載の例によるカチオン性ポリマー、但し、ｍ＝４、ｎ＝８２、ａ＋ｃ＝３、及びｂ＝９。
【００７０】
１２．表Ｉ、１７番に記載の例によるカチオン性ポリマー、但し、ｍ＝４、ｎ＝１６０、ａ＋ｃ＝３、及びｂ＝９。
【００７１】
１３．１，１−Ｎ−ジメチル−９，９−Ｎ’’−ジメチルジプロピレントリアミン。
【００７２】
１４．イソプロパノール。
【００７３】
１５．テトラキス−（２−ヒドロキシプロピル）エチレンジアミン。
【表３】
2005520058.tif 000074
１．ウィトコ（Witco）から入手可能な、Ｎ，Ｎ−ジ（カノイルオキシエチル）−Ｎ−２−ヒドロキシエチル−Ｎ−メチルアンモニウムメチルサルフェート。
【００７４】
２．Ｎ，Ｎ−ジ（カノリル−オキシ−エチル）−Ｎ，Ｎ−ジメチルアンモニウムクロライド。
【００７５】
３．Ｎ，Ｎ−ジ（タロイル−オキシ−エチル）−Ｎ，Ｎ−ジメチルアンモニウムクロライド。
【００７６】
４．エタノールは、四級布帛柔軟剤活性物質の製造プロセスから存在する。
【００７７】
５．ヘキシレングリコールは、四級布帛柔軟剤活性物質の製造プロセスから存在する。
【００７８】
６．添加されるヘキシレングリコール。
【００７９】
７．シクロヘキサン、１，４−ジメタノール。
【００８０】
８．ネオドール（Neodol）（登録商標）９１−８としてシェル（Shell）から入手可能なＣ９〜Ｃ１１アルキルＥ８アルコール。
【００８１】
９．ツビンガル（Tubingal）３４７４、ＣＨＴバイトリッヒ（Beitlich）製のアルキル化カチオン性シリコーン。
【００８２】
１０．表Ｉ、７番に記載の例によるカチオン性ポリマー、但し、ｍ＝４、ｎ＝８２、ａ＋ｃ＝３、及びｂ＝９。
【００８３】
１１．１，１−Ｎ−ジメチル−９，９−Ｎ’’−ジメチルジプロピレントリアミン。
【００８４】
１２．イソプロパノール。
【００８５】
１３．グリセリン、
１４．テトラキス−（２−ヒドロキシプロピル）エチレンジアミン。
【００８６】
前記の例では、カチオン性シリコーンと、例えば、ターギトール（Tergitol）（登録商標）のようなノニオン性界面活性剤などの乳化剤は、成分の残部と混合される前に予備混合することができる。
【００８７】
以下は、本発明によるリンス添加剤組成物の非限定例である。
【表４】
2005520058.tif 000075
１．Ｃ１６アルキルトリメチルアンモニウムクロライド。
【００８８】
２．Ｃ１１〜Ｃ１４分岐鎖アルコール、Ｃ１３を多く含み、エトキシル化されている。
【００８９】
３．ネオドール（Neodol）（登録商標）９１−８としてシェル（Shell）から入手可能なＣ９〜Ｃ１１アルキルＥ８アルコール。
【００９０】
４．実施例３によるカチオン性ポリマー。
【００９１】
５．ＧＥシリコーンズ（GE-Silicones）製のアミノ官能性シリコーン流体ＴＳＦ４７０８。
【００９２】
６．ダウ・コーニング（Dow Corning）製のダウ・コーニング（DOW CORNING）（登録商標）２−８５６６。
【００９３】
７．テトラキス−（２−ヒドロキシプロピル）エチレンジアミン。
【手続補正書】
【提出日】平成16年1月30日(2004.1.30)
【手続補正１】
【補正対象書類名】特許請求の範囲
【補正対象項目名】全文
【補正方法】変更
【補正の内容】
【特許請求の範囲】
【請求項１】
リンス剤添加布帛性能向上組成物であり、以下を含む：
ａ）次式を有するカチオン性シリコーンポリマーまたはカチオン性シリコーンコポリマーを約０．０１重量％〜約２０重量：
【化１】
2005520058.tif 000111
式中、各Ｚ単位は、独立に次式を有し：
【化２】
2005520058.tif 000112
ｘは０または１であり；
Ｗは、次式を有するシロキサン単位であり：
【化３】
2005520058.tif 000113
各Ｒ１単位は、Ｃ１〜Ｃ２２直鎖または分岐鎖、置換または非置換のヒドロカルビル部分であり、好ましくはＲ１は以下からなる群より選択され：
ｉ）Ｃ１〜Ｃ２２直鎖または分岐鎖アルキル；
ｉｉ）Ｃ１〜Ｃ２２シクロアルキル；
ｉｉｉ）Ｃ６〜Ｃ２２アリール；
ｉｖ）Ｃ７〜Ｃ２２アルキレンアリール；
ｖ）Ｃ１〜Ｃ２２直鎖または分岐鎖フルオロアルキル；
ｖｉ）Ｃ２〜Ｃ２２直鎖または分岐鎖アルケニル；
ｖｉｉ）Ｃ１〜Ｃ２２直鎖または分岐鎖アルコキシ；及び、
ｖｉｉｉ）これらの混合物、更に好ましくはＲ１はメチルであり；
ｎは、１〜５００の指数であり；
Ｒは、次式を有する窒素原子含有の主鎖単位であり：
【化４】
2005520058.tif 000114
Ｂは、少なくとも１つの二級、三級、若しくは四級アミノ部分、またはこれらの混合物を含む単位であり；
Ｒ２は、次式を有する結合単位であり：
【化５】
2005520058.tif 000115
Ｒ３は、Ｃ２〜Ｃ１２直鎖または分岐鎖アルキレンであり、好ましくはＲ３は、エチレン、１，３−プロピレン、１，２−プロピレン、及びこれらの混合物であり；
Ｒ４は、水素、またはＣ１〜Ｃ２２直鎖若しくは分岐鎖、置換若しくは非置換のヒドロカルビル部分であり、好ましくはＲ４は、水素、Ｃ１〜Ｃ２２直鎖または分岐鎖アルキル；Ｃ１〜Ｃ２２シクロアルキル；Ｃ１〜Ｃ２２直鎖または分岐鎖フルオロアルキル；Ｃ２〜Ｃ２２直鎖または分岐鎖アルケニル；Ｃ６〜Ｃ２２アリール；Ｃ７〜Ｃ２２アルキレンアリール；及びこれらの混合物からなる群より選択され、最も好ましくはＲ４は、水素、Ｃ１〜Ｃ１０直鎖または分岐鎖アルキル；及びこれらの混合物であり；
ｙは０または１であり；
ｚは、０〜５０であり；
Ｌは、連結単位であり、好ましくはＬは以下からなる群より選択され：
ｉ）−［Ｃ（Ｒ７）２］ｐ−；式中、ｐは１〜２２である；
ｉｉ）−［Ｃ（Ｒ７）２］ｐ（ＣＨ＝ＣＨ）ｑ−；式中、ｐは０〜１２；ｑは１〜６である；
ｉｉｉ）−Ｃ（Ｘ）−；
ｉｖ）−ＯＣ（Ｘ）−；
ｖ）−Ｃ（Ｘ）Ｏ−；
ｖｉ）−［Ｃ（Ｒ７）２］ｑＣ（Ｘ）Ｘ（Ｒ８Ｏ）ｐ−；ｐは０〜１２；ｑは１〜６である；
ｖｉｉ）−（ＯＲ８）ｐＸＣ（Ｘ）［Ｃ（Ｒ７）２］ｑ−；ｐは０〜１２；ｑは１〜６である；
ｖｉｉｉ）−Ｃ（Ｘ）ＮＲ７−；
ｉｘ）−Ｃ（Ｘ）Ｒ８Ｃ（Ｘ）−；
ｘ）−Ｃ（Ｘ）ＮＲ７Ｃ（Ｘ）−；
ｘｉ）−Ｃ（Ｘ）ＮＲ７Ｒ８ＮＲ７Ｃ（Ｘ）−；
ｖｉｉｉ）−ＮＲ７Ｃ（Ｘ）−；
ｘｉｉｉ）−ＮＲ７Ｃ（Ｘ）ＮＲ７−；
ｘｉｖ）−ＮＲ７Ｃ（Ｘ）Ｒ８ＮＲ７−；
ｘｖ）−ＮＲ７Ｒ８Ｃ（Ｘ）ＮＲ７−；
ｘｖｉ）−ＮＲ７Ｃ（Ｘ）Ｒ８Ｃ（Ｘ）Ｏ−；
ｘｖｉｉ）−ＯＣ（Ｘ）Ｒ８Ｃ（Ｘ）ＮＲ７−；
ｘｖｉｉｉ）−ＮＲ７Ｃ（Ｘ）Ｒ８Ｃ（Ｘ）Ｏ−；
ｘｉｘ）−ＮＲ７Ｃ（Ｘ）ＮＲ７Ｒ８−；
ｘｘ）−Ｒ８ＮＲ７Ｃ（Ｘ）ＮＲ７−；
ｘｘｉ）−ＮＲ７Ｃ（Ｘ）ＮＲ７Ｒ８−；
ｘｉ）−Ｒ８ＮＲ７Ｃ（Ｘ）ＮＲ７Ｒ８−；
ｘｘｉｉｉ）−ＮＲ７−；
ｘｘｉｖ）−Ｒ８ＮＲ７−；
ｘｘｖ）−ＮＲ７Ｒ８−；
ｘｘｖｉ）−ＮＲ７Ｎ＝Ｎ−；
ｘｘｖｉｉ）−ＮＲ７ＮＲ７−；
ｘｘｖｉｉｉ）−ＯＲ８−；
ｘｘｉｘ）−Ｒ８Ｏ−；
ｘｘｘ）−（Ｒ８）ｕＣ（Ｘ）（Ｒ８）ｕ−；
ｘｘｘｉ）−（Ｒ８）ｕＯＣ（Ｏ）（Ｒ８）ｕ−；
ｘｘｘｉｉ）−（Ｒ８）ｕＣ（Ｏ）Ｏ（Ｒ８）ｕ−；
ｘｘｘｉｉｉ）−（Ｒ８）ｕＯＣ（Ｏ）Ｏ（Ｒ８）ｕ−；
式中、Ｒ７は、水素、Ｃ１〜Ｃ２２直鎖または分岐鎖アルキル；Ｃ１〜Ｃ２２シクロアルキル；Ｃ１〜Ｃ２２直鎖または分岐鎖フルオロアルキル；Ｃ２〜Ｃ２２直鎖または分岐鎖アルケニル；Ｃ６〜Ｃ２２アリール；Ｃ７〜Ｃ２２アルキレンアリール；及びこれらの混合物であり；Ｘは、酸素、イオウ、＝ＮＲ７、及びこれらの混合物であり；ｕは、０または１であり；最も好ましくは、Ｌは次式を有する：
−［ＣＨ２］ｐＣ（Ｏ）Ｏ（ＣＨ２ＣＨ２Ｏ）ｐ−、または、−（ＯＣＨ２ＣＨ２）ｐＯＣ（Ｏ）［ＣＨ２］ｐ−
式中、ｐは１〜１２であり、好ましくはｐは３である。
［ＣＡＰ］は、主鎖停止単位、または末端単位であり；ｍは、１〜５０であり、好ましくは［ＣＡＰ］は以下からなる群より選択され：
ｉ）
【化６】
2005520058.tif 000116
ｉｉ）
【化７】
2005520058.tif 000117
ｉｉｉ）
【化８】
2005520058.tif 000118
ｉｖ）
【化９】
2005520058.tif 000119
ｖ）
【化１０】
2005520058.tif 000120
ｖｉ）
【化１１】
2005520058.tif 000121
及び、
ｖｉｉ）これらの混合物；
式中、Ｒ１は、上記に定義されるのと同じであり、各Ｒ９は、独立にＣ１〜Ｃ１２直鎖または分岐鎖アルキレン、Ｃ６〜Ｃ１２アリーレン、Ｃ７〜Ｃ２２アルキレンアリーレンであり；Ｒ１０は、水素、またはＣ１〜Ｃ２２直鎖または分岐鎖、置換または非置換のヒドロカルビル部分であり；同じ窒素原子からの２つのＲ１０単位、それぞれが隣接する窒素原子からの２つのＲ１０単位、或いは１つのＲ１０単位は、Ｒ５単位、またはＲ１単位と一緒に合わせて、芳香族または非芳香族、四級化または非四級化複素環単位、及びこれらの混合物を形成することができ；Ａは、水溶性アニオンであり；ｊは、０〜６であり、ｋは０〜１であり、最も好ましくは［ＣＡＰ］−は、次式を有する：
【化１２】
2005520058.tif 000122
ｂ）アニオン性単位を含む化合物を捕捉するのに有効な捕捉剤を約１重量％〜約３０重量％；及び、
ｃ）残部が担体系。
【請求項２】
Ｂが以下からなる群より選択される、請求項１に記載の組成物。
ｉ）
【化１３】
2005520058.tif 000123
ｉｉ）
【化１４】
2005520058.tif 000124
及び、
ｉｉｉ）これらの混合物
式中、各Ｒ５は、独立した以下のものである：
ｉ）Ｃ２〜Ｃ１２直鎖または分岐鎖アルキレン；
ｉｉ）Ｃ６〜Ｃ１２アリーレン；
ｉｉｉ）Ｃ７〜Ｃ２２アルキレンアリーレン；
ｉｖ）次式を有するアルキレンオキシ単位：
−（Ｒ１１Ｏ）ａ（Ｒ１１Ｏ）ｂ（Ｒ１１Ｏ）ｃ（Ｒ１１）−
式中、Ｒ１１は、Ｃ２〜Ｃ１２アルキレン単位であり、指数ａ、ｂ、及びｃは、０〜１００である；
ｖ）次式を有し、二塩基酸、グリシジルエーテル、またはこれらの混合物から誘導される連結単位：
−［Ｃ（Ｏ）］ｄ（Ｒ１１Ｏ）ａ（Ｒ１２）ｅ［Ｃ（Ｏ）］ｄ−
式中、Ｒ１２は、Ｃ１〜Ｃ２０直鎖または分岐鎖アルキレン；−ＣＨ２ＣＨＯＨＣＨ２−、及びこれらの混合物であり、ａは０〜１００であり、ｄは０または１であり、ｅは０〜２０であり；各Ｒ６は、独立した以下のものである：
ｉ）水素；
ｉｉ）Ｃ１〜Ｃ２２直鎖または分岐鎖、置換または非置換のヒドロカルビル部分；
ｉｉｉ）同じ窒素原子からの２つのＲ６単位を一緒に合わせて、芳香族または非芳香族、四級化または非四級化複素環単位を形成することができる；
ｉｖ）隣接する窒素原子からの各２つのＲ６単位を一緒に合わせて、芳香族または非芳香族、四級化または非四級化複素環単位を形成することができる；
ｖ）１つのＲ６単位をＲ５単位と一緒に合わせて、芳香族または非芳香族、四級化または非四級化複素環単位を形成することができる；
ｖｉ）及び、これらの混合物；
Ａは、水溶性アニオンであり；ｊは０〜６であり、ｋは０〜１である。
【請求項３】
Ｂが以下からなる群より選択される、請求項１に記載の組成物：
ｉ）
【化１５】
2005520058.tif 000125
ｉｉ）
【化１６】
2005520058.tif 000126
ｉｉｉ）
【化１７】
2005520058.tif 000127
ｉｖ）
【化１８】
2005520058.tif 000128
ｖ）
【化１９】
2005520058.tif 000129
ｖｉ）
【化２０】
2005520058.tif 000130
ｖｉｉ）及び、これらの混合物。
【請求項４】
前記組成物が、更に、布帛柔軟化活性物質を約１重量％〜約８０重量％含む請求項１〜３のいずれか１項に記載の組成物であって、前記布帛柔軟剤活性物質が、次式を有する四級アンモニウム化合物：
【化２１】
2005520058.tif 000131
次式を有するアミン：
【化２２】
2005520058.tif 000132
及び、これらの混合物を含み；式中、各Ｒは、独立にＣ１〜Ｃ６アルキル、Ｃ１〜Ｃ６ヒドロキシアルキル、ベンジル、及びこれらの混合物であり；Ｒ１は、Ｃ１〜Ｃ２２アルキル、Ｃ３〜Ｃ２２アルケニル、及びこれらの混合物であり；Ｑは、次式を有するカルボニル部分であり：
【化２３】
2005520058.tif 000133
式中、Ｒ２は、水素、Ｃ１〜Ｃ４アルキル、Ｃ１〜Ｃ４ヒドロキシアルキル、及びこれらの混合物であり；Ｒ３は、水素、Ｃ１〜Ｃ４アルキル、及びこれらの混合物であり；Ｘは、柔軟剤と適合性のあるアニオンであり；ｍは、１〜３であり；ｎは、１〜４であり；好ましくは、前記布帛柔軟化活性物質は、タロウ、ハードタロウ、ラード、カノーラ油、部分水素化カノーラ油、ベニバナ油、部分水素化ベニバナ油、ピーナッツ油、部分水素化ピーナッツ油、ひまわり油、部分水素化ひまわり油、コーン油、部分水素化コーン油、大豆油、部分水素化大豆油、トール油、部分水素化トール油、米糠油、部分水素化米糠油、合成トリグリセリド供給原料、及びこれらの混合物からなる群より選択されるトリグリセリドの供給源から誘導されるアシル部分を含む。
【請求項５】
洗濯サイクル中に、布帛柔軟化効果及び防しわ効果を布帛に提供する方法であって、次の段階を含む：
ａ）すすぎサイクル中に、有効量のアニオン捕捉剤を含む組成物、好ましくは前記組成物が布帛柔軟剤組成物である、と布帛を接触させる段階；及び
ｂ）次式を有するカチオン性シリコーンポリマーまたはカチオン性シリコーンコポリマーを約０．０１重量％〜約２０重量％含む組成物と布帛を接触させる段階であり：
【化２４】
2005520058.tif 000134
式中、各Ｚ単位は、独立に次式を有し：
【化２５】
2005520058.tif 000135
ｘは０または１であり；
Ｗは、次式を有するシロキサン単位であり：
【化２６】
2005520058.tif 000136
各Ｒ１単位は、Ｃ１〜Ｃ２２直鎖または分岐鎖、置換または非置換のヒドロカルビル部分であり；ｎは１〜５００の指数であり；
Ｒは、次式を有する窒素原子含有の主鎖単位であり：
【化２７】
2005520058.tif 000137
Ｂは、少なくとも１つの二級、三級、若しくは四級アミノ部分、またはこれらの混合物を含む単位であり；Ｒ２は、次式を有する結合単位であり：
【化２８】
2005520058.tif 000138
Ｒ３は、Ｃ２〜Ｃ１２直鎖または分岐鎖アルキレンであり；Ｒ４は、水素、またはＣ１〜Ｃ２２直鎖または分岐鎖、置換または非置換のヒドロカルビル部分であり；ｙは０または１であり；ｚは、０〜５０であり；
Ｌは、連結単位であり；［ＣＡＰ］は、主鎖停止単位であり；ｍは、１〜５０であり、
好ましくは、カチオン性シリコーンポリマーまたはカチオン性シリコーンコポリマーを約０．０１重量％〜約２０重量％含む前記組成物が、布帛リンス添加剤である。
【請求項６】
少なくとも２つの連続した洗濯サイクルで、布帛を布帛リンス添加剤と接触させる段階を更に含む、請求項５に記載の方法。
【請求項７】
段階ａ）が段階ｂ）に先行する、請求項５または６のいずれかに記載の方法。
【請求項８】
布帛リンス添加剤組成物であり、以下を含む：
ａ）次式を有するカチオン性シリコーンポリマーまたはカチオン性シリコーンコポリマーを約０．０１重量％〜約２０重量％：
【化２９】
2005520058.tif 000139
式中、各Ｚ単位は、独立に次式を有する：
【化３０】
2005520058.tif 000140
ｘは０または１であり；
Ｗは、次式を有するシロキサン単位であり：
【化３１】
2005520058.tif 000141
各Ｒ１単位は、Ｃ１〜Ｃ２２直鎖または分岐鎖、置換または非置換のヒドロカルビル部分であり；ｎは１〜５００の指数であり；
Ｒは、次式を有する窒素原子含有の主鎖単位であり：
【化３２】
2005520058.tif 000142
Ｂは、少なくとも１つの二級、三級、若しくは四級アミノ部分、またはこれらの混合物を含む単位であり；Ｒ２は、次式を有する結合単位であり：
【化３３】
2005520058.tif 000143
Ｒ３は、Ｃ２〜Ｃ１２直鎖または分岐鎖アルキレンであり；Ｒ４は、水素、またはＣ１〜Ｃ２２直鎖若しくは分岐鎖、置換若しくは非置換のヒドロカルビル部分であり；ｚは、０〜５０であり；
Ｌは、連結単位であり；［ＣＡＰ］は、主鎖停止単位であり；ｍは、１〜５０である；及び
ｂ）担体系。
【請求項９】
布帛に防しわ効果を提供するための、請求項８に記載の布帛リンス添加剤組成物の使用法。
【請求項１０】
布帛に改善された防しわ効果を提供するための、少なくとも２つの連続した洗濯サイクルにおける、請求項８または９のいずれかに記載の布帛リンス添加剤組成物の使用法。
【手続補正２】
【補正対象書類名】明細書
【補正対象項目名】０００７
【補正方法】変更
【補正の内容】
【０００７】
本発明の第一の態様は布帛性能向上組成物に関し、以下を含む：
ａ）次式を有するカチオン性シリコーンポリマーまたはカチオン性シリコーンコポリマーを約０．０１重量％〜約２０重量：
【化１】
2005520058.tif 000144
式中、各Ｚ単位は、独立に次式を有し：
【化２】
2005520058.tif 000145
ｘは０または１であり；
Ｗは、次式を有するシロキサン単位であり：
【化３】
2005520058.tif 000146
各Ｒ１単位は、Ｃ１〜Ｃ２２直鎖または分岐鎖、置換または非置換のヒドロカルビル部分であり；ｎは１〜５００の指数であり；
Ｒは、次式を有する窒素原子含有の主鎖単位であり：
【化４】
2005520058.tif 000147
Ｂは、少なくとも１つの二級、三級、若しくは四級アミノ部分、またはこれらの混合物を含む単位であり；
Ｒ２は、次式を有する結合単位であり：
【化５】
2005520058.tif 000148
Ｒ３は、Ｃ２〜Ｃ１２直鎖または分岐鎖アルキレンであり；Ｒ４は、水素、またはＣ１〜Ｃ２２直鎖または分岐鎖、置換または非置換のヒドロカルビル部分であり；ｙは、０または１であり；ｚは、０〜５０であり；
Ｌは、連結単位であり；［ＣＡＰ］は、主鎖停止単位または末端単位であり；ｍは、１〜５０である；
ｂ）アニオン単位を含む化合物を捕捉するのに有効な捕捉剤を約１重量％〜約３０重量％；及び、
ｃ）残部が担体系。
【手続補正３】
【補正対象書類名】明細書
【補正対象項目名】００１９
【補正方法】変更
【補正の内容】
【００１９】
Ｒは、次式を有する窒素原子含有の主鎖単位であり：
【化１０】
2005520058.tif 000149
式中、Ｂは、少なくとも１つのアミノ単位を含む主鎖単位であり、前記アミノ単位は、二級アミノ単位、三級アミノ単位、四級アミノ単位、及び次式を有するこれらの混合物からなる群より選択される：
ｉ）
【化１１】
2005520058.tif 000150
ｉｉ）
【化１２】
2005520058.tif 000151
及び
ｉｉｉ）これらの混合物
式中、各Ｒ５は、独立に、以下のものである：
ｉ）Ｃ１〜Ｃ１２直鎖または分岐鎖アルキレン；
ｉｉ）Ｃ６〜Ｃ１２アリーレン；
ｉｉｉ）Ｃ７〜Ｃ２２アルキレンアリーレン；
ｉｖ）次式を有するアルキレンオキシ単位：
−（Ｒ１１Ｏ）ａ（Ｒ１１Ｏ）ｂ（Ｒ１１Ｏ）ｃ（Ｒ１１）−
式中、Ｒ１１は、Ｃ２〜Ｃ１２アルキレン単位であり、指数ａ、ｂ、及びｃは、０〜１００である；
ｖ）二塩基酸、グリシジルエーテル、または次式を有するこれらの混合物から誘導される連結単位：
−［Ｃ（Ｏ）］ｄ（Ｒ１１Ｏ）ａ（Ｒ１２）ｅ［Ｃ（Ｏ）］ｄ−
式中、Ｒ１２は、Ｃ１〜Ｃ２０直鎖または分岐鎖アルキレン；−ＣＨ２ＣＨＯＨＣＨ２−、及びこれらの混合物であり、ａは、０〜１００であり、ｄは、０または１であり、ｅは、０〜２０である；
各Ｒ６は、独立に、以下のものである：
ｉ）水素；
ｉｉ）Ｃ１〜Ｃ２２の直鎖または分岐鎖、置換または非置換のヒドロカルビル部分；
ｉｉｉ）同じ窒素原子からの２つのＲ６単位を一緒に合わせて、芳香族または非芳香族、四級化または非四級化の複素環単位を形成することができる；
ｉｖ）それぞれ隣接する窒素原子に結合している２つのＲ６単位を一緒に合わせて、芳香族または非芳香族、四級化または非四級化複素環単位を形成することができる；
ｖ）１つのＲ６単位をＲ５単位と一緒に合わせて、芳香族または非芳香族、四級化または非四級化複素環単位を形成することができる；
ｖｉ）及びこれらの混合物；
Ａは、水溶性アニオンであり；ｊは、０〜６であり、ｋは０〜１である。
【国際調査報告】
2005520058.tif 000152
2005520058.tif 000153
2005520058.tif 000154
2005520058.tif 000155
2005520058.tif 000156
2005520058.tif 000157